(57)【特許請求の範囲】
【請求項１】
支柱と、この支柱の上部に設けられたところのフランジ部と、前記支柱の下部に軸方向へ移動調節可能に取り付けられた調節支持体と、前記フランジ部とテーブルや机の天板の下面との間に介在される当該天板の補強用の取付盤とから成り、前記取付盤は平面方向へ分割可能であると共に、前記天板へ取り付ける側に接着剤層が設けられ、前記フランジ部を前記天板の下面に固着された前記取付盤を介して前記天板の下部に取り付けるように構成したことを特徴とする、地震用つかまり棒。
【発明の詳細な説明】
【０００１】
【発明の属する技術分野】
この発明は、部屋の中の物が落下したり家具が倒れたりするほどに揺れる震度４以上の地震の際にとくに効力を発揮することのできる、地震用つかまり棒に関する。
【０００２】
【従来の技術】
部屋の中で地震に遭遇した際には、まず、テーブルや机の下に避難して様子を見るということが、地震に遭遇した際における初動時の身体、生命の安全を図るための安全対策として説明され、また、地震を想定した避難訓練の際にも、このことが訓練として実際に行われている。
【０００３】
【発明が解決しようとする課題】
しかし、実際にテーブルや机の下に避難しなくてはならないような震度の地震の場合には、避難するテーブルや机自体がひっくりかえったり、移動してしまう他、テーブルや机の下に避難した人の身体もその下から放り出されてしまうという問題がある。
【０００４】
或は、中央部に支柱のない例えば４つ脚のテーブルや机の場合、地震の揺れにより他の重たい家具や天井の梁等が倒れて来た時に、せっかくテーブルや机の下に避難していても、天板が折れて下に避難した人を直撃してしまうという問題もあった。
【０００５】
そこでこの発明者は、先の出願でテーブルや机の天板の中央部よりつかまり棒を垂下させることを提案した。この場合、テーブルや机の天板は、中が空洞であったり、或はそうでなくとも釘や取付ビスがきかない材料で構成されている場合が多いことから、この点に対する対策が求められることになった。
【０００６】
この発明の目的は、地震の際にテーブルや机の下に避難した人がその場所から放り出されるのを防止することができ、さらにテーブルや机の強度をも増大させることができた上で、釘や取付ビスのきかないテーブルや机の天板であってもその下部につかまり棒を強固に取り付けることができるように成した、地震用つかまり棒を提供せんとするにある。
【０００７】
【課題を解決するための手段】
上述した目的を達成するためにこの発明は、支柱と、この支柱の上部に設けられたところのフランジ部と、前記支柱の下部に軸方向へ移動調節可能に取り付けられた調節支持体と、前記フランジ部とテーブルや机の天板の下面との間に介在される当該天板の補強用の取付盤とから成り、前記取付盤は平面方向へ分割可能であると共に、前記天板へ取り付ける側に接着剤層が設けられ、前記フランジ部を前記天板の下面に固着された前記取付盤を介して前記天板の下部に取り付けるように構成したことを特徴とする。
【００１０】
【作用】
請求項１のように構成すると、釘や取付ビスのきかない材料で構成したテーブルや机の天板の下面にも、つかまり棒のフランジ部を強固に取り付けることができる上に、つかまり棒のフランジ部を固着すべき天板の下面に補強棧部材が存在する場合でも、取付盤を二つに割って片方ずつを補強棧部材の左右或は前後へ固着することにより、つかまり棒のフランジ部の取り付けが可能となるものである。
さらに、取付盤には接着剤層が形成されているので、釘や取付ビスのきかない天板の下面へ押しつけるだけで該取付盤を該天板へ強固に固着することができるものである。
【００１３】
【発明の実施の形態】
図面はこの発明の一実施例を示し、図１乃至図３において、１は支柱であり、例えばスチール、ステンレス、アルミニウム等の金属、或は合成樹脂等の強度のある材料で構成された丸パイプ状のものである。もちろん、必ずしも丸パイプ状でなくとも良い。また、平面断面形状も丸形状のもの以外に、楕円、四角その他の多角形状等さまざまなものが考えられ、実施例に限定されない。支柱１の上部には複数の取付孔２ａを有するフランジ部２が固着、溶着、或は一体成型等の手段で設けられている。このフランジ部２の形状も、実施例のものは略漏斗状であるが、これも楕円、三角、四角その他の多角形状等さまざまなものが考えられ、実施例のものに限定されない。フランジ部２の下側にはリング状の吊下手段３が取付ピン３ａを介して取り付けられており、この吊下手段３に図示してない懐中電燈や薬や非常食、水といった非常時の際の持ち出し用品が吊り下げられるようになっている。尚、この吊下手段３は支柱１に頭付ピン、フックその他の手段によって設けられても良い。支柱１の下部には、座部４ａと、この座部４ａの中心部より立設されたネジ棒４ｂから成る調節支持体４が、ネジ棒４ｂを支柱１に設けた雌ネジ部１ａに捻子着させることにより、上下方向へ高さ調節可能に取り付けられている。５は調節支持体４を支柱１へ固定させるための固定用ナットである。
【００１４】
図４は取付盤６を示し、この取付盤６は例えば２つ割りの半円形状の半片板６ａ，６ｂから成る円盤状の取付盤であり、中央部より半分ずつ半片板６ａ，６ｂに分離でき、主として木製である。これはフランジ部２を釘や取付ビスのきかない材料で構成したテーブルや机８の天板８ａへ取り付ける場合に用いるのであり、その上面にはボンド等の強力な接着剤層７が予め形成されており、その上に貼着した保護シート７ａを剥すことにより取付盤６ごと天板８ａの下面へ貼着させることができる。
【００１５】
したがって、まず、取付盤６をテーブルや机８の天板８ａの下面のできればその中央部へ貼着させた後、フランジ部２を取付ビス９、或は図示してない釘を用いて取付盤６へ固着して支柱１を天板８ａの下方へ垂下させる。そして、調節支持体４を左右いずれかの方向へ回して、その高さを脚部８ｂと同じになるように調節して接地させた後、固定用ナット５で締め付けて固定させると、つかまり棒のテーブルや机８への取り付けが完了する。そうして、図５に示したように地震が来た際には、テーブルや机８等の下へ逃げ込み、支柱１にしがみついていると、テーブルや机８等があらぬ方向へ移動してしまったり、身体がテーブルや机８の外へ放り出される心配がない。また、他の家具や天井や梁等が落下して来た場合にも、押圧力に対して弱い天板８ａの中央部に支柱１が存在するので、天板８ａが折れてしまうのを可及的に防止することができるものである。支柱１を取り付ける場所は、地震の揺れによってテーブルや机８等とその下に避難した人との位置がずれても、天板８ａがその上部を覆うことができること、さらに、中央部は天板８ａの強度が最も弱いところであるなどからして該天板８ａの中央部が最も望ましいことになるが、多少片寄った位置にすることは任意である。また、テーブルや机８が大きい場合は、数カ所に取り付けることが考えられる。
【００１６】
尚、上述したように取付盤６が２つ割りとなっているのは、薄い或は材質の弱い天板１０ａを使用したテーブルや机１０で、天板１０ａの下面に図６に示したような補強棧部材１０ｃが取り付けられている場合、この補強棧部材１０ｃが取付盤６を取り付ける際邪魔となるので、これを２つに割って半片板６ａ，６ｂに分離し、補強棧部材１０ｃの左右或は前後にこの半片板６ａ，６ｂを取り付け、その後にフランジ部２をこの２つに割った取付盤６へ固着するものである。尚、１０ｂは脚部である。
【００１７】
【発明の効果】
この発明は以上のように構成したので、地震の際にこの支柱を取り付けたテーブルや机等の家具の下に避難した人が、この支柱へしがみついていることによりテーブルや机があらぬ方向へ移動してしまったり、倒れたり、或は身体がテーブルや机の外部へ放り出されるのを有効に防止できて安全性を確保でき、支柱の先端（下端部）が接地することから天板の強度を増大し、重たい家具は天井が落下して来ても天板が割れてしまうのを可及的に防止し、より安全性を向上することができるという作用効果を奏し得る。
【００１８】
その上で、請求項１のように構成すると、釘や取付ビスのきかない天板の下部へつかまり棒を強固に取り付けることができ、地震の際の揺れによってフランジ部が取れてしまう心配がない。
【００１９】
請求項２のように構成すると、テーブルや机の天板の下面の中央位置に補強棧部材がある場合でも、取付盤を二つに分離することによりフランジ部を容易に天板の下面へ固着することが可能となるものである。
【００２０】
請求項３のように構成すると、取付盤には予め保護シート付きの接着剤層が形成されているので、保護シートを剥すことにより接着剤層を露出させてテーブルや机の天板の下面へ押し当てることにより、取付盤を簡単に取り付けることが可能となるものである。
【図面の簡単な説明】
【図１】この発明に係る地震用つかまり棒の正面図である。
【図２】図１に示した地震用つかまり棒の平面図である。
【図３】図１に示した地震用つかまり棒をテーブルや机の天板の下部に取り付けて見た一部断面図である。
【図４】取付盤の斜視図である。
【図５】テーブルの下に人が避難した状態を示す説明図である。
【図６】天板の下面に補強棧部材のあるテーブルにつかまり棒を取り付けて見た底面図である。
【符号の説明】
１  支柱
１ａ  雌ネジ部
２  フランジ部
３  吊下手段
４  調節支持体
４ａ  座部
４ｂ  ネジ棒
５  固定用ナット
６  取付盤
７  接着剤層
８  テーブル（机）
８ａ  天板
１０  テーブル（机）
１０ａ  天板
１０ｃ  補強棧部材
【図１】
0003779381.tif 000002
【図２】
0003779381.tif 000003
【図３】
0003779381.tif 000004
【図４】
0003779381.tif 000005
【図５】
0003779381.tif 000006
【図６】
0003779381.tif 000007